(57)【要約】【課題】操作性の低下を抑制できるタッチパネル表示装置、タッチパネル表示方法を提供する。【解決手段】ボタン３７を表示する画面２８のタッチ操作を検出する検出部と、画面２８内において、正常にタッチ操作を検出できない異常領域Ｂを設定する領域設定部と、画面２８の表示を制御する表示制御部と、を備え、表示制御部は、異常領域Ｂの少なくとも一部と重なるボタン３７のサイズと色の少なくとも一方を変更する。【選択図】図１２
2018181089.tif 000002
【特許請求の範囲】
【請求項１】
ボタンを表示する画面のタッチ操作を検出する検出部と、
前記画面内において、正常にタッチ操作を検出できない異常領域を設定する領域設定部と、
前記画面の表示を制御する表示制御部と、
を備え、
前記表示制御部は、前記異常領域の少なくとも一部と重なる前記ボタンのサイズと色の少なくとも一方を変更することを特徴とするタッチパネル表示装置。
【請求項２】
前記表示制御部は、前記異常領域と前記ボタンとが重なる部分の輝度と彩度のうち少なくとも一方を、前記ボタンにおいて正常にタッチ操作を検出できる正常領域と重なる部分よりも低くすることを特徴とする請求項１に記載のタッチパネル表示装置。
【請求項３】
前記表示制御部は、前記異常領域の輝度と彩度のうち少なくとも一方を、前記異常領域を設定する前の表示よりも低くすることを特徴とする請求項１又は請求項２に記載のタッチパネル表示装置。
【請求項４】
前記異常領域を通じて入力された入力情報を無効とする無効設定部をさらに備えることを特徴とする請求項１〜請求項３のうち何れか一項に記載のタッチパネル表示装置。
【請求項５】
前記表示制御部は、前記異常領域と前記ボタンとが重なる部分の色を、ユニバーサルデザインの色表現形式に基づいて変更することを特徴とする請求項１〜請求項４のうち何れか一項に記載のタッチパネル表示装置。
【請求項６】
前記表示制御部は、サイズと色の少なくとも一方を変更した前記ボタン内のタッチ操作を通じて入力された入力情報に基づいて、前記ボタンのサイズと色の少なくとも一方を調整することを特徴とする請求項１〜請求項５のうち何れか一項に記載のタッチパネル表示装置。
【請求項７】
タッチ操作されるボタンを表示する画面内において、正常にタッチ操作を検出できない異常領域を設定する領域設定工程と、
前記異常領域の少なくとも一部と重なる前記ボタンのサイズと色の少なくとも一方を変更して表示する表示工程と、
を含むことを特徴とするタッチパネル表示方法。
【発明の詳細な説明】
【技術分野】
【０００１】
本発明は、タッチパネル表示装置、タッチパネル表示方法に関する。
【背景技術】
【０００２】
タッチパネル表示装置の一例として、感圧式タブレット（検出部）と表示部（画面）とを積層し、感圧式タブレットにおいて加重された位置の座標を出力する装置がある（例えば特許文献１）。表示部は、手書き入力を可能とする入力枠及び入力操作に使われるボタンなどを配置した入力パッドを表示する。
【先行技術文献】
【特許文献】
【０００３】
【特許文献１】特開平８−３３９２６０号公報
【発明の概要】
【発明が解決しようとする課題】
【０００４】
感圧式タブレットでは、加重される回数が多い領域が次第に劣化する。感圧式タブレットが劣化すると、表示部は、劣化の少ない領域に入力パッドを移動して表示していた。しかし、入力パッドの位置が変わると、操作に慣れたユーザーは誤入力する虞があった。
【０００５】
こうした課題は、感圧式タブレットを備えた装置に限らず、タッチパネル表示装置、タッチパネル表示方法においては、概ね共通している。
本発明の目的は、操作性の低下を抑制できるタッチパネル表示装置、タッチパネル表示方法を提供することにある。
【課題を解決するための手段】
【０００６】
以下、上記課題を解決するための手段及びその作用効果について記載する。
上記課題を解決するタッチパネル表示装置は、ボタンを表示する画面のタッチ操作を検出する検出部と、前記画面内において、正常にタッチ操作を検出できない異常領域を設定する領域設定部と、前記画面の表示を制御する表示制御部と、を備え、前記表示制御部は、前記異常領域の少なくとも一部と重なる前記ボタンのサイズと色の少なくとも一方を変更する。
【０００７】
この構成によれば、画面内で異常領域の少なくとも一部と重なるボタンのサイズと色の少なくとも一方を変更することができる。ボタンのサイズを大きくした場合には、正常にタッチ操作できる領域とボタンとが重なる部分を広げて操作しやすくでき、ボタンの色を変更した場合には、異常を認識しやすくできるため、操作性の低下を抑制できる。
【０００８】
上記タッチパネル表示装置において、前記表示制御部は、前記異常領域と前記ボタンとが重なる部分の輝度と彩度のうち少なくとも一方を、前記ボタンにおいて正常にタッチ操作を検出できる正常領域と重なる部分よりも低くすることが好ましい。
【０００９】
人は、輝度と彩度が高い領域を操作する傾向がある。この構成によれば、表示制御部は、ボタンと異常領域とが重なる部分の輝度と彩度のうち少なくとも一方を、ボタンにおいて正常領域と重なる部分よりも低くするため、異常領域が操作される虞を低減できる。
【００１０】
上記タッチパネル表示装置において、前記表示制御部は、前記異常領域の輝度と彩度のうち少なくとも一方を、前記異常領域を設定する前の表示よりも低くすることが好ましい。
【００１１】
この構成によれば、表示制御部は、異常領域の輝度と彩度のうち少なくとも一方を、異常領域を設定する前の表示よりも低くするため、異常領域が設定されたことを認識させやすくできる。
【００１２】
上記タッチパネル表示装置は、前記異常領域を通じて入力された入力情報を無効とする無効設定部をさらに備えることが好ましい。
タッチパネルの異常には、タッチパネルの方式及び異常の原因に応じて、タッチ操作を検出できなくなる場合と、タッチ操作とは無関係に入力情報を誤検出する場合と、がある。その点、この構成によれば、無効設定部は、異常領域を通じて入力された入力情報を無効とするため、タッチ操作とは無関係な入力情報を誤検出する虞を低減できる。
【００１３】
上記タッチパネル表示装置において、前記表示制御部は、前記異常領域と前記ボタンとが重なる部分の色を、ユニバーサルデザインの色表現形式に基づいて変更することが好ましい。
【００１４】
この構成によれば、表示制御部は、異常領域とボタンとが重なる部分の色をユニバーサルデザインの色表現形式に基づいて変更するため、ユーザーの視認性の困難さの有無に関わらず操作性の低下を抑制できる。
【００１５】
上記タッチパネル表示装置において、前記表示制御部は、サイズと色の少なくとも一方を変更した前記ボタン内のタッチ操作を通じて入力された入力情報に基づいて、前記ボタンのサイズと色の少なくとも一方を調整することが好ましい。
【００１６】
この構成によれば、表示制御部は、サイズと色の少なくとも一方を変更したボタン内のタッチ操作を通じて入力された入力情報に基づいてボタンの表示を調整する。そのため、例えばユーザーに画面全体をタッチ操作させる場合に比べて、ボタンの表示を簡便に調整できる。
【００１７】
上記課題を解決するタッチパネル表示方法は、タッチ操作されるボタンを表示する画面内において、正常にタッチ操作を検出できない異常領域を設定する領域設定工程と、前記異常領域の少なくとも一部と重なる前記ボタンのサイズと色の少なくとも一方を変更して表示する表示工程と、を含む。
【００１８】
この構成によれば、上記タッチパネル表示装置と同様の効果を奏することができる。
【図面の簡単な説明】
【００１９】
【図１】印刷装置の一実施形態の斜視図。
【図２】タッチパネル表示装置のブロック図。
【図３】ホームページを表示するタッチパネルの模式図。
【図４】設定ページを表示するタッチパネルの模式図。
【図５】タッチパネル表示ルーチンを示すフローチャート。
【図６】全面調整ページを表示するタッチパネルの模式図。
【図７】エラーページを表示するタッチパネルの模式図。
【図８】全面調整ページを表示するタッチパネルの模式図。
【図９】領域確認ページを表示するタッチパネルの模式図。
【図１０】領域確認ページを表示するタッチパネルの模式図。
【図１１】設定確認ページを表示するタッチパネルの模式図。
【図１２】ホームページを表示するタッチパネルの模式図。
【図１３】部分調整ページを表示するタッチパネルの模式図。
【図１４】更新確認ページを表示するタッチパネルの模式図。
【図１５】ホームページを表示するタッチパネルの模式図。
【図１６】第１変形例の全面調整ページを表示するタッチパネルの模式図。
【図１７】第１変形例の設定確認ページを表示するタッチパネルの模式図。
【図１８】第２変形例のホームページを表示するタッチパネルの模式図。
【図１９】第３変形例の全面調整ページを表示するタッチパネルの模式図。
【発明を実施するための形態】
【００２０】
以下、タッチパネル表示装置を備える印刷装置の一実施形態について図を参照して説明する。本実施形態の印刷装置は、例えば、用紙などの媒体にインクなどの液体を吐出することにより印刷（記録）するインクジェット式のプリンターである。
【００２１】
図１に示すように、印刷装置１１は、脚１２に支持される略直方体状の筐体１３と、筐体１３の背面に取り付けられ、筐体１３の背面から上方に向かって突出する給送部１４と、を備える。給送部１４には、媒体１５を円筒状に巻き重ねたロールが装填される。給送部１４は、ロールを回転可能に支持し、ロールを回転させることで媒体１５を解いて給送する。
【００２２】
筐体１３には、給送部１４から給送された媒体１５を筐体１３内へ導入するための導入口１７と、筐体１３内から媒体１５を排出するための排出口１８と、が形成されている。筐体１３内には、インクなどの液体を吐出して媒体１５に文字などの画像を印刷する印刷部１９が設けられている。
【００２３】
筐体１３の上面には、印刷装置１１を操作するための操作パネル２１が設けられている。操作パネル２１は、ユーザーが押すことで操作可能なスイッチ２２と、ユーザーが触れることでタッチ操作が可能なタッチパネル２３と、を備える。
【００２４】
図２に示すように、印刷装置１１は、タッチパネル表示装置２５を備える。タッチパネル表示装置２５は、タッチパネル２３と、タッチパネル２３を制御する制御装置２６と、を含んで構成される。
【００２５】
タッチパネル２３は、液晶パネルなどの画面２８と、画面２８のタッチ操作を検出する検出部２９と、を備える。検出部２９は、画面２８がタッチされたことを検出して入力情報を出力する。入力情報には、画面２８においてタッチされた位置を示す位置情報が含まれる。
【００２６】
制御装置２６は、検出部２９が出力した入力情報を取得する情報取得部３１と、領域を設定する領域設定部３２と、入力情報を無効とする無効設定部３３と、画面２８の表示を制御する表示制御部３４と、領域を記憶する記憶部３５と、を備える。
【００２７】
例えば、タッチパネル２３を長年使用していると、タッチパネル２３に異常が生じることがある。異常には、タッチ操作がされていないにも関わらずタッチ操作を検出する誤検出、タッチ操作がされたにも関わらずタッチ操作を検出できない不検出などがある。タッチパネル２３は、タッチパネル２３の方式及び異常の原因に応じて、生じる異常の種類及び異常が生じる範囲が異なる。タッチパネル２３に誤検出が生じると、タッチパネル２３は、誤検出が生じた範囲の位置情報を含む入力情報を、タッチ操作とは関係なく出力する。タッチパネル２３に不検出が生じると、タッチパネル２３は、不検出が生じた範囲のタッチ操作を検出できず、入力情報を出力しない。
【００２８】
具体的には、例えば光学方式のタッチパネル２３では、検出部２９の一例である投光器と受光器を備え、影の位置を検出することによりタッチ操作を検出する。そのため、例えばタッチパネル２３に異物が付着すると誤検出が生じ、投光器と受光器の少なくとも一方が劣化すると不検出が生じることがある。
【００２９】
抵抗膜方式のタッチパネル２３では、電極を設けた画面２８と、電極を設けたシートと、をスペーサーを介して積層し、検出部２９は、シートが押されて電極同士が接触した位置を検出する。そのため、シートもしくはスペーサーが劣化すると、電極同士が離れずに誤検出が生じ、電極が劣化すると不検出が生じることがある。
【００３０】
領域設定部３２は、画面２８内において、タッチ操作を検出可能な正常領域Ａと、正常領域Ａとは異なる異常領域Ｂと、を設定する（図１２参照）。正常領域Ａは、タッチ操作を通じて入力された入力情報を取得可能な領域である。異常領域Ｂは、誤検出もしくは不検出が生じ、タッチ操作を通じて入力された入力情報を取得できない、もしくは正常領域Ａに比べて入力情報の取得が困難な領域である。すなわち、正常領域Ａは、正常にタッチ操作を検出できる領域であり、異常領域Ｂは、正常にタッチ操作を検出できない領域である。
【００３１】
無効設定部３３は、異常領域Ｂを通じて入力された入力情報を無効とする。タッチパネル２３に不検出が生じた場合には、異常領域Ｂからは入力情報が入力されないが、タッチパネル２３に誤検出が生じた場合には、タッチ操作とは無関係に入力情報が入力される。そのため、無効設定部３３は、タッチパネル２３に誤検出が生じた場合に、タッチ操作とは無関係に入力された入力情報を無効とする。
【００３２】
図２，図３に示すように、表示制御部３４は、タッチ操作されるボタン３７などを含む画像と背景の画像とを重ねたページを画面２８に表示する。図３に示すホームページＰ１は、少なくとも１つ（図３では９つ）のボタン３７の画像と、背景の画像とを重ねたページである。
【００３３】
図４に示す設定ページＰ２のように、表示制御部３４は、タッチ操作可能なボタン３７と、タッチ操作不能な見出しなどを合わせて表示してもよい。検出部２９がボタン３７と対応する位置のタッチ操作を検出すると、表示制御部３４は、タッチ操作されたボタン３７に応じて表示を切り替える。表示制御部３４は、画面２８にホームページＰ１が表示された状態で設定のボタン３７がタッチされると、画面２８に設定ページＰ２を表示する。
【００３４】
図３，図４に示すように、ボタン３７は、画面２８の長手方向と短手方向のうち少なくとも一方の方向において、隣り合うボタン３７及び画面２８の縁と間隔を有して配置されるのが好ましい。図３に示すホームページＰ１では、画面２８の短手方向において、隣り合うボタン３７同士の第１距離Ｌ１、及びボタン３７と画面２８の縁との第２距離Ｌ２が、ボタン３７の高さＨよりも長い。図４に示す設定ページＰ２では、画面２８の長手方向において、画面２８の一端側の縁からボタン３７までの第３距離Ｌ３と、画面２８の他端側の縁からボタン３７までの第４距離Ｌ４と、の合計の距離が、ボタン３７の幅Ｗよりも長い。
【００３５】
次に、図５に示すフローチャートを参照し、制御装置２６が異常領域Ｂを設定し、設定した異常領域Ｂに応じて画面２８を表示するタッチパネル表示方法について説明する。このタッチパネル表示ルーチンは、例えば図４に示すキャリブレーションのボタン３７が操作されたタイミングで実行される。
【００３６】
図５に示すように、ステップＳ１０１において、制御装置２６は、既に異常領域Ｂが設定されているか否かを判断する。異常領域Ｂが設定されていない場合には（ステップＳ１０１：ＮＯ）、ステップＳ１０２において、制御装置２６は、画面２８に全面キャリブレーション用の全面調整ページＰ３（図６参照）を表示する。
【００３７】
ステップＳ１０１において、既に異常領域Ｂが設定されている場合には（ステップＳ１０１：ＹＥＳ）、ステップＳ１０３において、制御装置２６は、全面キャリブレーションと部分キャリブレーションのどちらが選択されたかを判断する。制御装置２６は、画面２８にキャリブレーションの選択用のページを表示し、全面キャリブレーションが選択された場合には（ステップＳ１０３：ＹＥＳ）、処理をステップＳ１０２に移行する。部分キャリブレーションが選択された場合には（ステップＳ１０３：ＮＯ）、ステップＳ１０４において、制御装置２６は、画面２８に部分キャリブレーション用の部分調整ページＰ７（図１３参照）を表示する。
【００３８】
ステップＳ１０５において、制御装置２６は、開始位置がタッチされたか否かを判断する。開始位置がタッチされた場合には（ステップＳ１０５：ＹＥＳ）、制御装置２６は、ステップＳ１０６において入力情報を取得し、ステップＳ１０７において、終了位置がタッチされたか否かを判断する。終了位置がタッチされていない場合には（ステップＳ１０７：ＮＯ）、制御装置２６は、処理をステップＳ１０６に移行する。
【００３９】
ステップＳ１０７において、終了位置がタッチされた場合には（ステップＳ１０７：ＹＥＳ）、制御装置２６は、ステップＳ１０８において、異常領域Ｂを設定するか否かを判断する。異常領域Ｂを設定する場合には（ステップＳ１０８：ＹＥＳ）、ステップＳ１０９において、制御装置２６は、異常領域Ｂを設定する（領域設定工程）。異常領域Ｂを設定しない場合には（ステップＳ１０８：ＮＯ）、処理をステップＳ１１０に移行する。ステップＳ１１０において、制御装置２６は、異常領域Ｂの少なくとも一部とボタン３７とが重なる場合には、ボタン３７のサイズと色の少なくとも一方を変更して表示する（表示工程）。
【００４０】
ステップＳ１０５において、開始位置がタッチされる前に、他の位置がタッチされたことを検出すると（ステップＳ１０５：ＮＯ）、ステップＳ１１１において、制御装置２６は、ステップＳ１０８と同様に異常領域Ｂを設定するか否かを判断する。
【００４１】
異常領域Ｂを設定する場合には（ステップＳ１１１：ＹＥＳ）、制御装置２６は、ステップＳ１１２において、異常領域Ｂを通じて入力される入力情報を無効とする無効設定を行い、処理をステップＳ１０９に移行する。異常領域Ｂを設定しない場合には（ステップＳ１１１：ＮＯ）、制御装置２６は、処理をステップＳ１１０に移行する。
【００４２】
次に、タッチパネル表示装置２５が画面２８の表示を調整する場合の作用について説明する。
図４に示すように、キャリブレーションのボタン３７がタッチされると、制御装置２６は、画面２８の表示を調整する。
【００４３】
図６に示すように、異常領域Ｂが設定されていない場合、及び全面キャリブレーションが選択された場合には、表示制御部３４は、画面２８に全面調整ページＰ３を表示する。本実施形態の全面調整ページＰ３は、螺旋状の線３９の画像を含む。全面調整ページＰ３は、開始位置及び終了位置を示す丸印４０、なぞる向きを示す矢印４１などの画像を含んでもよい。
【００４４】
タッチパネル２３に誤検出が生じている場合には、検出部２９は、タッチ操作とは関係なく入力情報を出力する。そのため、入力情報には、開始位置とは異なる位置の位置情報が含まれることになる。
【００４５】
図７に示すように、入力情報に開始位置とは異なる位置の位置情報が含まれる場合、表示制御部３４は、開始位置からタッチするように促すエラーページＰ４を表示する。エラーページＰ４は、異常領域Ｂを設定する選択肢を示すボタン３７を含んでいてもよい。
【００４６】
エラーページＰ４において、再キャリブレーションのボタン３７、もしくは異常領域Ｂを設定しない（いいえ）ボタン３７がタッチされると、表示制御部３４は、画面２８に全面調整ページＰ３を表示する。
【００４７】
エラーページＰ４において、キャンセルのボタン３７、もしくは異常領域Ｂを設定する（はい）ボタン３７がタッチされると、表示制御部３４は、画面２８の調整を終了してホームページＰ１を表示する。異常領域Ｂを設定する（はい）ボタン３７がタッチされた場合には、領域設定部３２は、入力情報が出力されている範囲を異常領域Ｂに設定して記憶部３５に記憶する。無効設定部３３は、設定した異常領域Ｂを通じて入力される入力情報を無効にする。
【００４８】
図８に示すように、タッチパネル２３に誤検出が生じておらず、線３９をなぞるようにタッチした場合、線３９に沿う位置情報を含む入力情報が出力される。しかし、タッチパネル２３に不検出が生じている場合、及び途中でタッチパネル２３から指が離れた場合などには、位置情報が途切れることがある。図８では、位置情報が途切れた位置をばつ印４２で表すが、ばつ印４２は、画面２８には表示しなくてもよい。
【００４９】
図９に示すように、終了位置まで線３９がなぞられ、終了位置の位置情報を含む入力情報が出力されると、表示制御部３４は、領域確認ページＰ５を画面２８に表示する。領域確認ページＰ５は、位置情報が途切れた位置、及びその周辺に表示される複数の確認マーク４４を含む。確認マーク４４は、ボタン３７よりも小さな記号であり、画面２８の解像度に合わせたサイズで表示される。確認マーク４４は、確認マーク４４をタッチするように促すメッセージと共に表示されるのが好ましい。
【００５０】
図１０に示すように、確認マーク４４は、タッチされると表示が変わる。すなわち、表示制御部３４は、入力情報に確認マーク４４の位置情報が含まれる場合には、確認マーク４４の画像を消す、もしくは色を変える。そのため、画面２８において、不検出が生じて入力情報が入力できない領域に表示された確認マーク４４は、画面２８に残る。
【００５１】
図１１に示すように、確認マーク４４が一定時間タッチされない場合、表示制御部３４は、設定確認ページＰ６を画面２８に表示する。設定確認ページＰ６は、タッチされなかった確認マーク４４に基づいて設定された領域を異常領域Ｂとして設定するか否かを確認するページである。異常領域Ｂを設定する（はい）ボタン３７がタッチされると、領域設定部３２は、異常領域Ｂを設定して記憶部３５に記憶する。異常領域Ｂを設定しない（いいえ）ボタン３７がタッチされると、領域設定部３２は、異常領域Ｂを設定しない。
【００５２】
図１２に示すように、異常領域Ｂが設定されると、表示制御部３４は、異常領域Ｂの少なくとも一部と重なるボタン３７のサイズを変更して各ページを画面２８に表示する。例えば、ホームページＰ１において、印刷及び戻るのボタン３７と異常領域Ｂとが重なる場合には、表示制御部３４は、印刷のボタン３７と戻るのボタン３７を、異常領域Ｂが設定される前よりも大きくする。
【００５３】
このとき、表示制御部３４は、異常領域Ｂの少なくとも一部と重なるボタン３７の色を変更するのが好ましい。ボタン３７の色は、ボタン３７の全体の色を変更してもよいし、ボタン３７の一部の色を変更してもよい。
【００５４】
表示制御部３４が変更するボタン３７の色は、ユニバーサルデザインの色表現形式に基づくのが好ましい。具体的には、表示制御部３４は、異常領域Ｂとボタン３７とが重なる部分の色を、ユニバーサルデザインの色表現形成に基づいて変更する。
【００５５】
表示制御部３４は、異常領域Ｂの輝度と彩度のうち少なくとも一方を低くする。表示制御部３４は、異常領域Ｂの輝度と彩度のうち少なくとも一方を異常領域Ｂを設定する前の表示よりも低くしてもよい。表示制御部３４は、異常領域Ｂの輝度と彩度のうち少なくとも一方を正常領域Ａにおける最も低い輝度もしくは彩度よりも低くしてもよい。例えば、表示制御部３４は、異常領域Ｂとボタン３７とが重なる部分の輝度と彩度のうち少なくとも一方を、ボタン３７において正常領域Ａと重なる部分よりも低くする。
【００５６】
ユニバーサルデザインの色表現形式とは、正常領域Ａと異常領域Ｂの色の組み合わせ、もしくは背景とボタン３７の色の組み合わせとして、色覚障害者が認識しにくい色の組み合わせを避ける。色覚障害者は、赤色、緑色、青色において認識しにくい色があり、認識しにくい色の組み合わせがある。例えば、正常領域Ａよりも異常領域Ｂの輝度を低くすると、色を明暗でしか感じることができないＡ型の色覚障害者であっても認識できる。緑色を感じにくいＤ型の色覚障害者は、赤色と緑色、オレンジ色と黄緑色、緑色と茶色、青色と紫色、ピンク色と白色もしくは灰色、緑色と灰色もしくは黒色、などの色の組み合わせが認識しにくい。赤色を感じにくいＰ型の色覚障害者は、さらに赤色と黒色、ピンク色と青色の組み合わせも認識しにくい。
【００５７】
そこで、表示制御部３４は、例えばボタン３７において正常領域Ａと重なる部分をオレンジ色、異常領域Ｂを青色で表示する。他には、暖色と寒色の組み合わせである黄緑色と紫色、青色と赤色、明度に差のある組み合わせであるオレンジ色と緑色、明るい青色と暗い青色なども好ましい。
【００５８】
図１３に示すように、部分キャリブレーションが選択された場合には、表示制御部３４は、サイズと色の少なくとも一方を変更したボタン３７内のタッチ操作を通じて入力された入力情報に基づいて、ボタン３７のサイズと色の少なくとも一方を調整する。具体的には、表示制御部３４は、部分調整ページＰ７を画面２８に表示する。部分調整ページＰ７は、ホームページＰ１において異常領域Ｂの少なくとも一部と重なるボタン３７の範囲内で螺旋状に描かれた線３９の画像を含む。ボタン３７の範囲内には、ボタン３７と背景との境界線上までが含まれる。部分調整ページＰ７の線３９同士の間隔は、全面調整ページＰ３の線３９同士の間隔よりも狭いのが好ましい。
【００５９】
図１４に示すように、終了位置まで線３９がなぞられ、終了位置の位置情報を含む入力情報が出力されると、表示制御部３４は、更新確認ページＰ８を表示する。部分調整ページＰ７では、全面調整ページＰ３よりも狭い範囲を高密度でなぞるため、線３９をなぞったときの入力情報に基づいて異常領域Ｂを推定してもよい。
【００６０】
図１５に示すように、異常領域Ｂが更新されると、表示制御部３４は、更新された異常領域Ｂに合わせて各ページの表示を変更する。ボタン３７に記載された文字と異常領域Ｂとが重なる場合には、異常領域Ｂと重ならないように文字の位置をずらしてもよい。
【００６１】
上記実施形態によれば、以下のような効果を得ることができる。
（１）画面２８内で異常領域Ｂの少なくとも一部と重なるボタン３７のサイズと色の少なくとも一方を変更することができる。ボタン３７のサイズを大きくした場合には、正常にタッチ操作できる正常領域Ａとボタン３７とが重なる部分を広げて操作しやすくでき、ボタン３７の色を変更した場合には、異常を認識しやすくできるため、操作性の低下を抑制できる。
【００６２】
（２）人は、輝度と彩度が高い領域を操作する傾向がある。表示制御部３４は、ボタン３７と異常領域Ｂとが重なる部分の輝度と彩度のうち少なくとも一方を、ボタン３７において正常領域Ａと重なる部分よりも低くするため、異常領域Ｂが操作される虞を低減できる。
【００６３】
（３）表示制御部３４は、異常領域Ｂの輝度と彩度のうち少なくとも一方を、異常領域Ｂを設定する前の表示よりも低くするため、異常領域Ｂが設定されたことを認識させやすくできる。
【００６４】
（４）タッチパネル２３の異常には、タッチパネル２３の方式及び異常の原因に応じて、タッチ操作を検出できなくなる場合と、タッチ操作とは無関係に入力情報を誤検出する場合と、がある。その点、無効設定部３３は、異常領域Ｂを通じて入力された入力情報を無効とするため、タッチ操作とは無関係な入力情報を誤検出する虞を低減できる。
【００６５】
（５）表示制御部３４は、異常領域Ｂとボタン３７とが重なる部分の色をユニバーサルデザインの色表現形式に基づいて変更するため、ユーザーの視認性の困難さの有無に関わらず操作性の低下を抑制できる。
【００６６】
（６）表示制御部３４は、サイズと色の少なくとも一方を変更したボタン３７内のタッチ操作を通じて入力された入力情報に基づいてボタン３７の表示を調整する。そのため、例えばユーザーに画面２８全体をタッチ操作させる場合に比べて、ボタン３７の表示を簡便に調整できる。
【００６７】
上記実施形態は以下に示す変更例のように変更してもよい。上記実施形態と下記変更例とは、任意に組み合わせてもよい。
・例えば画面２８の周囲に検出部２９の一例である投光器と受光器を向かい合うように並べた赤外線走査方式のタッチパネル２３では、投光器と受光器の少なくとも一方が劣化すると不検出が生じることがある。
【００６８】
図１６に示すように、不検出は、劣化した投光器と受光器とを結ぶ線に沿って生じる。すなわち、画面２８の長手方向に間隔を有して配置された投光器と受光器が劣化すると、長手方向に延びるように不検出が生じる。画面２８の短手方向に間隔を有して配置された投光器と受光器が劣化すると、短手方向に延びるように不検出が生じる。
【００６９】
そのため、図１７に示すように、不検出の位置が線状に並ぶ場合には、異常領域Ｂを帯状に設定してもよい（第１変形例）。表示制御部３４は、異常領域Ｂとして設定する範囲とは異なる位置に、選択肢のボタン３７を表示してもよい。
【００７０】
・図１８に示すように、表示制御部３４は、異常領域Ｂにおいてボタン３７と重なる部分のみ、色を変更してもよい（第２変形例）。
・図１９に示すように、全面調整ページＰ３は、画面２８を複数の領域に分けて表示してもよい（第３変形例）。全面調整ページＰ３は、なぞる方向を示す矢印を表示し、タッチを検出するとタッチされた部分の色を変更してもよい。
【００７１】
・制御装置２６は、キャリブレーションのボタン３７がタッチされたタイミングとは異なるタイミングで異常領域Ｂを設定してもよい。例えば、表示制御部３４は、印刷装置１１の起動時、終了時、及び印刷などのジョブの実行時などに、印刷装置１１の状態などを示す待機ページを表示してもよい。待機ページは、タッチ操作可能なボタン３７の画像を含まないページであり、タッチ操作不能な印刷中などのメッセージ、ロゴマーク、ロゴタイプなどの画像を含んでいてもよい。本来、待機ページが表示された状態では、入力情報は入力されない。したがって、待機ページが表示された状態で、同じ位置情報を含む入力情報が一定時間入力された場合には、タッチパネル２３に誤検出が生じている虞がある。そのため、制御装置２６は、待機ページの表示中に入力情報が出力されている範囲を異常領域Ｂに設定し、異常領域Ｂを通じて入力される入力情報を無効にしてもよい。
【００７２】
・表示制御部３４は、タッチパネル２３に誤検出が生じて異常領域Ｂを設定する場合に、異常領域Ｂを設定する範囲を示し、異常領域Ｂを設定するか否かを確認する設定確認ページＰ６を表示してもよい。制御装置２６は、異常領域Ｂを設定する（はい）ボタン３７がタッチされた場合に異常領域Ｂを設定し、異常領域Ｂを通じて入力される入力情報を無効にしてもよい。設定確認ページＰ６を表示することにより、ユーザーの誤った操作で異常領域Ｂが設定される虞を低減できる。
【００７３】
・画面２８の調整を開始するキャリブレーションのボタン３７、異常領域Ｂを設定するボタン３７などをスイッチ２２に設けてもよい。
・領域設定部３２は、誤検出が生じた誤検出領域と、不検出が生じた不検出領域を別々に設定してもよい。表示制御部３４は、誤検出領域と不検出領域を区別して表示してもよい。表示制御部３４は、誤検出領域と不検出領域を異なる色で表示してもよい。
【００７４】
・異常領域Ｂの形状は、画面２８の解像度に合わせて任意に設定できる。例えば、異常領域Ｂを円形、矩形などの領域とし、領域設定部３２は、異常を検出した位置を中心とする一定の範囲を異常領域Ｂと設定してもよい。
【００７５】
・制御装置２６は、印刷に関する設定が終わってから印刷のボタン３７がタッチされるまでの時間を計測し、計測時間が閾値時間よりも長い場合に画面２８の調整を行ってもよい。
【００７６】
・制御装置２６は、ボタン３７がタッチされた位置を記憶しておき、タッチされた位置が変化した場合に画面２８の調整を行ってもよい。
・例えば、画面２８を押す強さを検出可能なタッチパネル２３では、制御装置２６は、ボタン３７を押す強さを記憶しておき、ボタン３７が強く押されるようになった場合に画面２８の調整を行ってもよい。
【００７７】
・全面調整ページＰ３及び部分調整ページＰ７は、螺旋状の線３９の中心を開始位置としてもよい。線３９は、両端のうち、先にタッチされた一方の端を開始位置とし、他方の端を終了位置としてもよい。線３９の形状は、例えば長手方向、短手方向などに延びるジグザグ形など、任意に変更してもよい。
【００７８】
・ボタン３７の形状は、輪郭が矩形に限らず任意に変更してもよい。ボタン３７の輪郭は、円形、楕円形、菱形、多角形などとしてもよい。ボタン３７は、例えばアイコンのように記号化してもよい。ボタン３７には、文字が含まれなくてもよい。
【００７９】
・表示制御部３４は、異常領域Ｂの少なくとも一部と重なるボタン３７のサイズを小さくしてもよい。例えば、長方形のボタン３７の角が異常領域Ｂと重なる場合、表示制御部３４は、ボタン３７の形状を菱形、楕円などに変更してもよい。すなわち、ボタン３７の面積を小さくし、異常領域Ｂとボタン３７とが重なる面積を減少させてもよい。ボタン３７のサイズを小さくしても、ボタン３７の面積に対する異常領域Ｂとボタン３７とが重なる面積の割合を低下させることができる。換言すると、ボタン３７の面積に対する正常領域Ａとボタン３７とが重なる面積の割合を上昇させることができる。そのため、タッチパネル２３に異常が生じた場合でも、タッチパネル２３の操作性の低下を抑制できる。
【００８０】
・ボタン３７の色は、ボタン３７に模様をつけることで変更してもよい。例えば、異常領域Ｂを、縞模様、縦縞と横縞を組み合わせた格子模様、網掛け模様、水玉模様などにしてもよい。正常領域Ａと異常領域Ｂとの境目の色をグラデーションにしてもよい。
【００８１】
・制御装置２６は、部分キャリブレーションを行わなくてもよい。表示制御部３４は、サイズと色の少なくとも一方を変更したボタン３７がある場合でも、全面キャリブレーションをして異常領域Ｂの表示を調整してもよい。
【００８２】
・正常領域Ａと異常領域Ｂ、及び背景とボタン３７は、ユニバーサルデザインの色表現形式とは関係のない色の組み合わせで表示してもよい。
・例えば、異常の原因に関わらず誤検出が生じないタッチパネル２３では、異常領域Ｂを通じて入力情報が入力されない。そのため、タッチパネル表示装置２５は、無効設定部３３を備えなくてもよい。
【００８３】
・表示制御部３４は、異常領域Ｂの輝度と彩度のうち少なくとも一方を、正常領域Ａと同じ、もしくは正常領域Ａよりも高くしてもよい。
・表示制御部３４は、異常領域Ｂにおいてボタン３７と重なる部分の輝度と彩度のうち少なくとも一方を、ボタン３７において正常領域Ａと重なる部分と同じ、もしくは正常領域Ａと重なる部分よりも高くしてもよい。
【００８４】
・表示制御部３４は、異常領域Ｂの少なくとも一部と重なるボタン３７のサイズと色の何れか一方を変更してもよい。例えば、表示制御部３４は、ボタン３７のサイズを変更し、色を変更しなくてもよい。表示制御部３４は、ボタン３７の色を変更し、サイズを変更しなくてもよい。
【００８５】
・タッチパネル表示装置２５は、スマートグラス及びスマートウォッチのようなウェアラブル機器、パソコン、タブレットとしてもよい。タッチパネル表示装置２５は、スキャナーなどの画像読取装置、コピー機などの複合機に設けてもよい。
【００８６】
・印刷装置１１は、媒体１５にインクなどの液体やトナーなどの流体を付着させることにより文字、絵、写真などの画像を印刷する装置であって、シリアルプリンター、ラテラル式プリンター、ラインプリンター、ページプリンターなどとしてもよい。印刷装置１１は、オフセット印刷装置、捺染印刷装置などとしてもよい。
【符号の説明】
【００８７】
１１…印刷装置、１２…脚、１３…筐体、１４…給送部、１５…媒体、１７…導入口、１８…排出口、１９…印刷部、２１…操作パネル、２２…スイッチ、２３…タッチパネル、２５…タッチパネル表示装置、２６…制御装置、２８…画面、２９…検出部、３１…情報取得部、３２…領域設定部、３３…無効設定部、３４…表示制御部、３５…記憶部、３７…ボタン、３９…線、４０…丸印、４１…矢印、４２…ばつ印、４４…確認マーク、Ａ…正常領域、Ｂ…異常領域、Ｈ…高さ、Ｗ…幅、Ｌ１〜Ｌ４…第１距離〜第４距離、Ｐ１…ホームページ、Ｐ２…設定ページ、Ｐ３…全面調整ページ、Ｐ４…エラーページ、Ｐ５…領域確認ページ、Ｐ６…設定確認ページ、Ｐ７…部分調整ページ、Ｐ８…更新確認ページ。
【図１】
2018181089.tif 000003
【図２】
2018181089.tif 000004
【図３】
2018181089.tif 000005
【図４】
2018181089.tif 000006
【図５】
2018181089.tif 000007
【図６】
2018181089.tif 000008
【図７】
2018181089.tif 000009
【図８】
2018181089.tif 000010
【図９】
2018181089.tif 000011
【図１０】
2018181089.tif 000012
【図１１】
2018181089.tif 000013
【図１２】
2018181089.tif 000014
【図１３】
2018181089.tif 000015
【図１４】
2018181089.tif 000016
【図１５】
2018181089.tif 000017
【図１６】
2018181089.tif 000018
【図１７】
2018181089.tif 000019
【図１８】
2018181089.tif 000020
【図１９】
2018181089.tif 000021